(57)【特許請求の範囲】
【請求項１】
磁気カード挿入用のカードスロットと、このカードスロットから挿入された磁気カードを内部に取り込むカード搬送手段とを有する磁気カード取引装置において、
磁気カードの後端が前記カードスロットよりも外部に突出している状態のときに、前記カード搬送手段による当該磁気カードの取込み動作を一時的に中止させる一時停止手段を有することを特徴とする磁気カード取引装置。
【請求項２】
磁気カード挿入用のカードスロットと、このカードスロットから挿入された磁気カードを内部に取り込むカード搬送手段とを有する磁気カード取引装置において、
磁気カードの後端が前記カードスロットよりも外部に突出している状態のときに、前記カード搬送手段による当該磁気カードの取込み動作を中断して、当該磁気カードを一時的に逆方向に搬送する逆搬送手段を有することを特徴とする磁気カード取引装置。
【請求項３】
磁気カード排出用のカードスロットと、磁気カードを前記カードスリットから排出するカード搬送手段とを有する磁気カード取引装置において、
前記カードスロットから所定量だけ磁気カードが外部に排出された状態のときに、前記カード搬送手段による当該磁気カードの排出動作を一時的に中止させる一時停止手段を有することを特徴とする磁気カード取引装置。
【請求項４】
磁気カード排出用のカードスロットと、磁気カードを前記カードスリットから排出するカード搬送手段とを有する磁気カード取引装置において、
前記カードスロットから所定量だけ磁気カードが外部に排出された状態のときに、前記カード搬送手段による当該磁気カードの排出動作を中断して、当該磁気カードを一時的に逆方向に搬送する逆搬送手段を有することを特徴とする磁気カード取引装置。
【請求項５】
磁気カード挿入用のカードスロットと、このカードスロットから磁気カードが挿入されたことを検出する検出手段と、磁気カードを内部に取り込むカード搬送手段と、前記カードスロットから挿入された磁気カードを前記カード搬送手段に導くカード導入路を開閉するシャッター手段とを有する磁気カード取引装置において、
前記カード搬送手段の駆動と前記シャッター手段の駆動とを制御する制御手段を有し、
前記制御手段は、前記検出手段によって磁気カードが挿入されたことが検出されると、前記シャッター手段を駆動して前記導入路を開き、当該導入路を開いたのち直ぐにはカード搬送手段を駆動せず磁気カードを一時的に停止した状態にしておいて、所定時間後に、前記カード搬送手段を駆動して磁気カードの搬送を開始させることを特徴とする磁気カード取引装置。
【請求項６】
磁気カード挿入用のカードスロットと、このカードスロットから磁気カードが挿入されたことを検出するカード挿入検出手段と、磁気カードを内部に取り込むカード搬送手段と、前記カードスロットから挿入された磁気カードを前記カード搬送手段に導くカード導入路を開閉するシャッター手段とを有する磁気カード取引装置において、
前記カードスロットから挿入された磁気カードが前記シャッター手段に当たったことを検出する検出手段と、磁気カードが前記シャッター手段に当たったことが検出された後に、前記シャッター手段を駆動して前記導入路を開くシャッター制御手段とを有することを特徴とする磁気カード取引装置。
【発明の詳細な説明】
【０００１】
【発明の属する技術分野】
本発明は、磁気カードリーダを備えた磁気カード取引装置に関し、更に詳しくは、磁気カードの不正読み取りを防止するための機能を備えた磁気カード取引装置に関するものである。
【０００２】
【従来の技術】
磁気カードリーダは、銀行に設置されているＡＴＭ等のような磁気カードを用いて各種の取引を行う磁気カード取引装置に取り付けられている。磁気カードリーダにおけるカード挿入部分は、一般に、磁気カード挿入および排出用のカードスロットと、ここから挿入される磁気カードを検出するためのカード挿入検出器と、カードスロットから挿入される磁気カードを内部に導く導入路と、この導入路を開閉するシャッターとが、カード挿入方向に向けてこの順序で配置されている。
【０００３】
利用者が磁気カードをカードスロットに挿入すると、挿入された磁気カードの先端側の磁気ストライプがカード挿入検出器によって検出され、シャッターが開き、磁気カードを内部に取込み可能になる。シャッターの内部側には、磁気カードの搬送手段を構成しているカード取込みローラ対が配置されており、挿入された磁気カードはこのカード取込みローラ対にくわえ込まれて、内部に取り込まれる。
【０００４】
ここで、磁気カードが挿入された際に、磁気カードの引っ掛かり感等の違和感を利用者に与えないように、カード挿入検出器によって磁気カードの挿入が検出されると同時に、シャッターを開くと共にカード取込みローラ対を直ちに駆動して、利用者による磁気カードの挿入操作にスムーズに連続した磁気カードの取込み動作を実現している。
【０００５】
一方、磁気カード排出時には、利用者が磁気カードをカードスロットから取り出しやすくするために、排出完了時のカードスロットからのカード突出量を可能な限り大きくする努力をしている。
【０００６】
【発明が解決しようとする課題】
このように、磁気カードリーダでは、磁気カードの挿入時には、その先端をカードスロットに挿入すると同時に、磁気カードがカード取込みローラ対によって所定の速度により搬送される。同様に、磁気カードの排出時にも、磁気カードがカードスロットから実質的に外部に排出されるまでカード取込みローラ対によって所定の速度で搬送される。
【０００７】
従って、カードスロットの外側に磁気ヘッドを取り付けた場合には、当該磁気ヘッドの検出位置に沿って、所定の速度で磁気カードが移動することになる。このため、このようなカードスロットの外側に取り付けた磁気ヘッドにより、磁気カードの記録情報を読み取ることが可能である。
【０００８】
本発明の課題は、この点に鑑みて、カードスロットに挿入あるいはそこから排出される磁気カードが、カードスロットの外側位置に取り付けた磁気ヘッドによって、読み取られることのないように構成された磁気カード取引装置を提案することにある。
【０００９】
【課題を解決するための手段】
上記の課題を解決するために、本発明は、磁気カード挿入用のカードスロットと、このカードスロットから挿入された磁気カードを内部に取り込むカード搬送手段とを有する磁気カード取引装置において、磁気カードの後端が前記カードスロットよりも外部に突出している状態のときに、前記カード搬送手段による当該磁気カードの取込み動作を一時的に中止させる一時停止手段を有することを特徴としている。
【００１０】
磁気カードの挿入時に、その挿入動作を一時的に中止させると、カードスロットの外側に取り付けられている磁気ヘッドでは、磁気カードの磁気ストライプを完全に読み取ることができない。よって、このような位置に取り付け磁気ヘッドによって、挿入される磁気カードの記録情報が読み取られてしまうことを防止できる。
【００１１】
また、本発明は、磁気カード挿入用のカードスロットと、このカードスロットから挿入された磁気カードを内部に取り込むカード搬送手段とを有する磁気カード取引装置において、磁気カードの後端が前記カードスロットよりも外部に突出している状態のときに、前記カード搬送手段による当該磁気カードの取込み動作を中断して、当該磁気カードを一時的に排出方向に搬送する逆搬送手段を有することを特徴としている。
【００１２】
磁気カードの挿入時に、その挿入動作を所定速度で継続して行わずに、一時的に逆方向に搬送すると、カードスロットの外側に取り付けられている磁気ヘッドでは、磁気カードの磁気記録情報を読み取ることができなくなる。よって、この構成によっても、カードスロット外部に取り付けた磁気ヘッドによって、挿入される磁気カードの記録情報が読み取られてしまうことを防止できる。
【００１３】
次に、本発明は、磁気カード排出用のカードスロットと、磁気カードを前記カードスリットから排出するカード搬送手段とを有する磁気カード取引装置において、前記カードスロットから所定量だけ磁気カードが外部に排出された状態のときに、前記カード搬送手段による当該磁気カードの排出動作を一時的に中止させる一時停止手段を有することを特徴としている。
【００１４】
この構成によれば、磁気カードの排出時に、カードスロットの外側位置に取り付けられている磁気ヘッドによって磁気カードの記録情報が読み取られてしまうことを防止できる。
【００１５】
また、本発明は、磁気カード排出用のカードスロットと、磁気カードを前記カードスリットから排出するカード搬送手段とを有する磁気カード取引装置において、前記カードスロットから所定量だけ磁気カードが外部に排出された状態のときに、前記カード搬送手段による当該磁気カードの排出動作を中断して、当該磁気カードを一時的に取込み方向に搬送する逆搬送手段を有することを特徴としている。
【００１６】
このように、磁気カードの排出時に、一時的に磁気カードを逆走させることによっても、カードスロットの外側位置に配置されている磁気ヘッドにより磁気カードの記録情報が読み取られてしまうことを防止できる。
【００１７】
次に、本発明は、磁気カード挿入用のカードスロットと、このカードスロットから磁気カードが挿入されたことを検出する検出手段と、磁気カードを内部に取り込むカード搬送手段と、前記カードスロットから挿入された磁気カードを前記カード搬送手段に導くカード導入路を開閉するシャッター手段とを有する磁気カード取引装置において、前記シャッター手段の駆動と前記カード搬送手段の駆動とを制御する制御手段を有し、前記制御手段は、前記検出手段によって磁気カードが挿入されたことが検出されると、前記シャッター手段を駆動して前記導入路を開き、当該導入路を開いたのち直ぐにはカード搬送手段を駆動せず磁気カードを一時的に停止した状態にしておいて、所定時間後に、前記カード搬送手段を駆動して磁気カードの搬送を開始させることを特徴としている。
【００１８】
この構成によれば、磁気カードの挿入時において、利用者がカードスロットに磁気カードを挿入した後に、磁気カードが一時的に停止した状態になる。磁気カードが停止すると、カードスロットの外側に取り付けられている磁気ヘッドは、当該磁気カードの磁気記録情報を正確に読み取ることができない。よって、かかる磁気ヘッドによる読み取りを阻止できる。
【００１９】
一方、本発明は、磁気カード挿入用のカードスロットと、このカードスロットから磁気カードが挿入されたことを検出する検出手段と、磁気カードを内部に取り込むカード搬送手段と、前記カードスロットから挿入された磁気カードを前記カード搬送手段に導くカード導入路を開閉するシャッター手段とを有する磁気カード取引装置において、前記カードスロットから挿入された磁気カードが前記シャッター手段に当たったことを検出する検出手段と、磁気カードが前記シャッター手段に当たったことが検出された後に、前記シャッター手段を駆動して前記導入路を開くシャッター制御手段とを有することを特徴としている。
【００２０】
この構成によれば、磁気カードの挿入動作は、シャッターによって一時的に阻止され、従って、磁気カードの挿入動作が一時的に停止する。従って、この構成によっても、カードスロットの外部に取り付けた磁気ヘッドにより挿入される磁気カードの情報が読み取られてしまうことを防止できる。
【００２１】
【発明の実施の形態】
以下に、図面を参照して、本発明を適用した磁気カード取引装置を説明する。
【００２２】
図１は、ＡＴＭ等の磁気カード取引装置に取り付けられている磁気カードリーダの主要部分を示す概略構成図である。本例の磁気カードリーダ１は、磁気カード取引装置２のフロントパネ３に開けたカードスロット用開口４の裏面側に取り付け固定されている。
【００２３】
磁気カードリーダ１は、磁気カード挿入および排出用のカードスロット５と、ここから挿入される磁気カード６を検出するためのカード挿入検出用の磁気ヘッド７と、カードスロット５から挿入される磁気カード６を内部に導く導入路８と、この導入路８を開閉するシャッター９とを有し、これらが、カード挿入方向に沿ってこの順序で配置されている。
【００２４】
シャッター９の奥には、カード取込みローラ対１１が配置され、このローラ対１１によって内部に取り込まれた磁気カード６は、所定の間隔で配置されている複数組の搬送ローラ対１２、１３によって規定される搬送経路に沿って搬送される。各ローラ対１１〜１３は、駆動モータ１４によって回転駆動される。ローラ対１２の配置位置には、ここを通過する磁気カード６に形成されている磁気ストライプを読み取るための読み取り用の磁気ヘッド１５が配置されている。
【００２５】
ここで、１６は各部の駆動制御を司る駆動制御回路であり、マイクロコンピュータにより構成することができ、そのＲＯＭ内に格納されている制御プログラムに従って、磁気カード６の搬送動作、磁気ヘッド１５による読み取り動作を制御する。また、１７、１８はそれぞれフォトセンサであり、後述のように、磁気カード６の位置を検出するためのものである。
【００２６】
次に、図２のフローチャートおよび図３の動作説明図を参照して、本例の磁気カードリーダ１における磁気カード取込み動作および磁気カード排出動作を説明する。
【００２７】
まず、図２（ａ）のフローチャートに沿って磁気カード６の取込み動作を説明する。利用者が磁気カード６をカードスロット５に挿入すると、挿入された磁気カード６に形成されている磁気ストライプがカード挿入検出用の磁気ヘッド７あるいは図示していないセンサによって検出される（ステップＳＴ１）。この磁気ヘッド７による検出信号により、駆動制御回路１６は、モータ１４を起動して、取込みローラ対１１を含む搬送系を駆動する。同時に、シャッター９を開く（ステップＳＴ２）。
【００２８】
この結果、磁気カード６を内部に取込み可能になる。磁気カード６がシャッタ位置を超えて奥まで挿入されると、その先端が取込みローラ対１１に銜え込まれて、磁気カード６の取込み動作が開始する。
【００２９】
ここで、本例では、モータ１４を起動した後に、磁気カード６の後端がカードスロット５から突出している状態の時に、一時的にモータ１４を停止して、磁気カード６の取込み動作を一時的に中断している。モータ１４の停止時点は、カードが取り込まれフォトセンサ１８による検出時点からの経過時間等によって管理できる。なお、挿入検出用の磁気ヘッド７による検出時点からの経過時間によって定めてもよい。本例における磁気カード６の取込み停止時間は、例えば、２００ないし５００ｍｓとされている（ステップＳＴ３）。
【００３０】
この後は、モータ１４を起動して（ステップＳＴ４）、磁気カード６の取込み動作を再開し、磁気カード６をカードリーダ内部に設けた読み取り用の磁気ヘッド１５の位置まで取り込んだ後は（ステップＳＴ５）、磁気ヘッド１５により、磁気カード６の読み取り動作あるいは書き込み動作を行う（ステップＳＴ６）。
【００３１】
このように、本例の磁気カードの取込み動作においては、磁気カード５の取込み動作において、磁気カード６の後端がカードスロット５から突出している間に、一旦、磁気カードの取込み動作を中断し、所定時間後に、再開するようにしている。この結果、例えば、図３（ａ）において想像線で示すように、カードスロット５の外側位置、例えば、フロントパネル３の表面に磁気ヘッド２０が取り付けられていても、磁気カード６が一時停止するので、挿入される磁気カード６の磁気記録情報を当該磁気ヘッド２０によっては完全に読み取ることはできない。よって、このような磁気ヘッド２０による磁気記録情報の読み取りを防止できる。
【００３２】
次に、図２（ｂ）のフローチャートを参照して、本例の磁気カードリーダ１における磁気カードの排出動作について説明する。この場合、ローラ対１１〜１３によって磁気カード６の排出動作を開始し（ステップＳＴ１１）、排出される磁気カード６の排出方向の後端がフォトセンサ１７によって検出されると（ステップＳＴ１２）、その排出動作を一時的に停止する（ステップＳＴ１３）。
【００３３】
ここで、図３（ｂ）に示すように、フォトセンサ１７によって磁気カード６の後端が検出される状態は、磁気カード６の排出方向の先端側がカードスロット５から所定の量だけ突き出た状態である。また、排出時における磁気カードの排出停止時間も、例えば、２００〜５００ｍｓとされている。
【００３４】
停止期間が経過した後は、モータ１４を起動して、磁気カード６の排出動作を再開する（ステップＳＴ１４）。この後は、フォトセンサ１７よりもカードスロット側に配置されているフォトセンサ１８によって排出される磁気カード６の後端が検出されると（ステップＳＴ１５）、モータ１４を停止して、カード排出動作を終了する。
【００３５】
カード排出動作が終了した時点では、磁気カード６の後端が取込みローラ対１１に銜え込まれた状態にある。利用者が軽く磁気カード６を引っ張ることにより、カードスロット５から磁気カード６を取り出すことができる。なお、利用者が磁気カード６を取り出すことを忘れた場合には、所定の時間経過後に、取込みローラ対１１を駆動して、磁気カード６を内部に回収できるようになっている。
【００３６】
このように、本例の磁気カードリーダ１では、磁気カードの排出時においても、その排出側の先端部分がカードスロット５から外部の突き出た状態で、一時的に排出動作を停止するようにしている。従って、図３（ｂ）において想像線で示すようなフロントパネル表面に磁気ヘッド２０が取り付けられていたとしても、この磁気ヘッド２０によって排出される磁気カード５の磁気記録情報が読み取られてしまうことを阻止できる。
【００３７】
なお、本例の磁気カードリーダ１において、カード取込み動作およびカード排出動作においては、１回だけカード搬送を一時停止するようにしている。この代わりに、２回以上にわたってカード搬送を一時停止するようにしてもよい。すなわち、図２のフローチャートにおいて、ステップＳＴ３、４、あるいはステップＳＴ１３、１４を繰り返し実行してもよい。
【００３８】
また、本例では、カード搬送の一時停止時間を２００〜５００ｍｓとしてある。この範囲の停止時間とすれば、特に、磁気カードの挿入時において、利用者が引っ掛かり感等の違和感を覚えることなく磁気カードの挿入を行うことができる。しかしながら、この一時停止時間は、これよりも短くしてもよく、あるいはこれよりも長くしてもよい。
【００３９】
（磁気カードの取込み、排出動作の別の制御例）
次に、カードスロット５の外側に取り付けた磁気ヘッドによって、当該カードスロット５に挿入される磁気カード６あるいは当該カードスロット５から排出される磁気カード６の読み取り動作を阻止するためには、次のように磁気カード６の取込み動作あるいは排出動作を制御してもよい。
【００４０】
第１の制御方法は、磁気カード６の取込み時あるいは排出時に、一時的に磁気カード６を逆走させるものである。磁気カード６の取込み時においては、図２（ａ）に示すフローチャートにおけるステップＳＴ３（モータ停止処理）を実行する代わりに、モータを反転させて、磁気カード６を排出方向に所定期間だけ一時的に逆走させ、しかる後に、磁気カード６の取込み動作を再開すればよい。勿論、複数回に渡って、磁気カード６の逆走を行うようにしてもよい。
磁気カード６の排出時においても、図２（ｂ）に示すフローチャートにおけるステップＳＴ１３（モータ停止処理）を実行する代わりに、モータ１４を反転させて、磁気カード６を取込み方向の所定期間だけ一時的に逆走させ、しかる後に、磁気カードの排出動作を再開すればよい。この場合においても、複数回に渡って磁気カード６の逆走を行うようにしてもよい。
【００４１】
第２の制御方法は、磁気カード６の取込み時に、磁気カード搬送用のモータ１４の起動をシャッター９を開く動作と同時に行わずに、所定時間後に行ない、これにより、磁気カード６を一時的に停止させる方法である。この場合には、図４に示すように、ステップＳＴ２２においてシャッター９を開けた後に、ステップＳＴ２３において所定時間をカウントした後に、ステップＳＴ２４においてモータ１５を起動する。これら以外のステップＳＴ２１、２５、２６は、図２（ａ）のステップＳＴ１、５、６と同一である。
【００４２】
このようにモータ起動を遅らせることにより、カードスロット５から挿入された磁気カード６は、取込みローラ対１１の間に差し込まれた状態で、まだローラ対１１が回転を始めていないことにより、一時的に停止することになる。よって、カードスロット５の外側に不正に取り付けられた磁気ヘッドによって挿入される磁気カードの記録情報が読み取られてしまうことを防止できる。
【００４３】
第３の制御方法は、磁気カード６の挿入時に、挿入された磁気カード６の先端がシャッター９に当たったことを検出した後に、当該シャッター９を開ける方法である。
【００４４】
シャッター９に磁気カード６が当たったことを検知する方法としては、挿入検知用の磁気ヘッド７の出力の低下を検出すればよい。これは、カード６がシャッター９に当たることにより、挿入速度が低下する為に、磁気ヘッド７の出力が低下あるいは出力無しの状態となることを利用している。
【００４５】
あるいは、図１において想像線で示すように、シャッター９に磁気カード６が当たったことを検出するためのマイクロスイッチ等の検出器３０等を取り付けてもよい。
【００４６】
図５には、この場合の磁気カードの取込み動作のフローチャートを示してある。磁気カード６の挿入が挿入検知用の磁気ヘッド７によって検出されると、モータ１５を起動する（ステップＳＴ３１，３２）。次に、磁気カード６がシャッター９に当たって停止しはじめる、あるいは停止すると、挿入検知用の磁気ヘッド７の出力は低下あるいは無しとなることから、これをモニターし、挿入された磁気カード６の先端がシャッター９に当たったか否かを検出する。当たった場合にはステップＳＴ３３からステップＳＴ３４に移行して、シャッター９を開ける。この後は、利用者によって磁気カード６が更に押し込まれると、磁気カード６の先端が取込みローラ対１１にくわえ込まれて、磁気カードの取込み動作が開始する（ステップＳＴ３５）。そして、磁気カード６に対する読み取り、書き込み動作が行われる（ステップＳＴ３６）。
【００４７】
この制御方法においても、カードスロット５から挿入された磁気カード６は、シャッター９に当たって一時的に停止する。よって、カードスロットの外側部分に不正に取り付けられた磁気ヘッドによって挿入される磁気カードの情報が読み取られてしまうことを阻止できる。
【００４８】
（その他の実施の形態）
上記の例は、磁気カードの搬送動作を制御することにより、不正に取り付けられた磁気ヘッドによる読み取りを阻止するものである。この代わりに、あるいはこれらの搬送制御と共に、次の構成を採用することもできる。
【００４９】
第１の構成は、フロントパネル３のカードスロット用開口４の外側表面部分の構造を、磁気ヘッド２０が取り付けられないようにすることである。この場合には、図６に示すように、磁気カードリーダ１のカードスロット５を規定しているスロット枠６０のうちの一部分を、フロントパネル３の開口４から外側に突出させる。突出部分６１は、挿入される磁気カード６の磁気ストライプに対峙する部分とする。従って、取扱対象の磁気カード６の両面に磁気ストライプが形成されている場合には、上下に突出部分６１を形成することが望ましい。
【００５０】
この構成を採用した場合には、カードスロット５の外側部分に不正に磁気ヘッドを取り付けることが困難あるいは不可能になる。よって、このような磁気ヘッドによって不正に磁気カードが読み取られてしまうことを阻止できる。
【００５１】
第２の構成は、フロントパネルのカードスロット用開口４の部分に不正に磁気ヘッド等の異物が取り付けられているか否かを検出して、不正読み取りを未然に防止するものである。このためには、図７に示すように、カードスロット５の周辺位置におけるフロントパネル裏面側に検出器７０を取り付けておき、この検出器７０によって、フロントパネル表面に不正に磁気ヘッド２０等の異物が取り付けられているな否かを検出すればよい。
【００５２】
検出器７０としては、例えば、図７に示すような光学式の反射型センサを用いて、フロントパネル３に検出用開口７１を開けて、表面側に異物が取り付けられているか否かを検出すればよい。反射型センサの代わりに、マイクロ波センサ、金属探知センサを用いることができ、あるいは、マイクロスイッチ等のメカニカルセンサを用いることもできる。
【００５３】
第３の構成は、フロントパネル３のカードスロット用開口４の部分に不正に磁気ヘッドが取り付けられたとしても、このような磁気ヘッドによる読み取りを、妨害磁界発生器を用いて不可能にするものである。このためには、図８に示すように、鉄心８１にコイル８２を巻いた構成の妨害磁界発生器８０をカードスロット５の周辺に取り付けておき、フロントパネル外面に不正に取り付けられた磁気ヘッド２０による読み取りを、妨害磁界を発生することにより、阻止すればよい。コイル８２に流す電流は、直流、交流のいずれでもよい。
【００５４】
【発明の効果】
以上説明したように、本発明の磁気カード取引装置では、カードスロットから磁気カードを取り込む動作、あるいはそこから磁気カードを排出する動作において、磁気カードを一時的に停止あるいは逆走させるようにしている。従って、カードスロットの外側に不正に取り付けた磁気ヘッドによる磁気カードの読み取りを阻止できる。
【図面の簡単な説明】
【図１】本発明を適用した磁気カード取引装置の主要部分を示す概略構成図である。
【図２】図１の装置の動作を示すフローチャートであり、（ａ）はその磁気カードの取込み動作を示すフローチャートであり、（ｂ）はその磁気カードの排出動作を示すフローチャートである。
【図３】（ａ）は磁気カード取込み時の動作を示すための説明図であり、（ｂ）は磁気カードの排出時の動作を示すための説明図である。
【図４】図１の装置における磁気カードの取込み動作の別の例を示すフローチャートである。
【図５】図１の装置における磁気カードの取込み動作の更に別の例を示すフローチャートである。
【図６】図１の装置の変形例を示す説明図である。
【図７】図１の装置の別の変形例を示す説明図である。
【図８】図１の装置の更に別の変形例を示す説明図である。
【符号の説明】
１  磁気カードリーダ
２  磁気カード取引装置
３  フロントパネル
４  カードスロット用開口
５  カードスロット
６  磁気カード
７  カード挿入検出用の磁気ヘッド
８  カード導入路
９  シャッター
１１  取込みローラ対
１２、１３  搬送ローラ対
１４  モータ
１５  磁気ヘッド
１６  駆動制御回路
１７、１８  フォトセンサ
２０  不正に取り付けられた磁気ヘッド
【図１】
0003806271.tif 000002
【図２】
0003806271.tif 000003
【図３】
0003806271.tif 000004
【図４】
0003806271.tif 000005
【図５】
0003806271.tif 000006
【図６】
0003806271.tif 000007
【図７】
0003806271.tif 000008
【図８】
0003806271.tif 000009